Podtech/llm-jp-corpus-v4-ja_patent huggingface dataset:
(57)【要約】【課題】蔓性作物の蔓を上方へ誘導し巻きつけるロープを上方または横方向へ張るためにパッカーにロープの係止手段を設けて支柱への挟み止めと、支柱間にロープを張り渡すのを容易にすることを目的とする。【解決手段】蔓性作物の支持支柱へパッカーを挟み止めすると共に、パッカーに設けた係止手段にロープを架けて支柱間にロープを張り渡すようにした。また前記係止手段が、パッカーの本体部分を構成する半円弧筒体の開口端の両側から各突出させたロープ保持片に形成する蟻溝であり、さらに請求項３記載のように、この蟻溝が保持片の中央に形成する矩形の長穴と、この長穴の側方外壁の中央部分を切り欠いたロープ通し溝とで構成する鍵穴形状とした。また支柱の側面に複数個の突子を所要の高さ間隔で連設し、この突子にパッカーの裏面に設けた凹溝が嵌り込むようにした。【選択図】図1
0003112357.tif 000002
【実用新案登録請求の範囲】
【請求項１】
蔓性作物の支持支柱（１）へパッカー（２）を挟み止めすると共に、パッカーに設けた係止手段にロープ（３）を掛けて支柱（１）間にロープ（３）を張り渡すようにした蔓性作物の支持ロープ支持具。
【請求項２】
前記係止手段が、パッカー（２）の本体部分を構成する半円弧筒体（４）の開口端の両側から各突出させたロープ保持片（５）に形成する蟻溝である請求項１記載の蔓性作物の支持ロープ支持具。
【請求項３】
前記蟻溝が保持片（５）の中央に形成する矩形の長穴（６）と、この長穴（６）の側方外壁の中央部分を切り欠いたロープ通し溝（７）とで構成する鍵穴形状である請求項２記載の蔓性作物の支持ロープ支持具。
【請求項４】
支柱（１）の側面に複数個の突子８を所要の高さ間隔で連設し、この突子８にパッカーの裏面に設けた凹溝９が嵌り込むようにした請求項１記載の蔓性作物の支持ロープ支持具。
【考案の詳細な説明】
【技術分野】
【０００１】
本考案は蔓性の作物を育成する支柱に針金や紐を固定する支持具に関する。
【背景技術】
【０００２】
蔓性の作物の蔓を上方または横方向へ誘引する際、作物の列に沿わせて支柱を適当な間隔で立てて紐を結んで複数段設置するか、太い番線を曲げて加工したＵ字形のクリップを支柱に嵌めてその開口端に設けたフックに紐等をかけていた。しかし紐で結ぶのは手間がかかりすぎ、Ｕ字クリップは支柱からずり落ちたり、嵌めるのに手が痛いとか、収納の際隣のフックと絡みあったり、外れて落ちるとフック部分がほとんど上になり足やタイヤに刺さったりして危険であった。
【０００３】
またかかる蔓性作物の蔓の支持方法として特許文献１には、蔓性作物の蔓を上方へ誘導し巻きつける紐を上方のフレーム又はワイヤへ固定する手段が開示され、特許文献２には作物の上方へ網を張りその網を上下に簡単に移動する手段が開示されている。
【特許文献１】特開２００２―１４２５７４号
【特許文献２】特開平７―５９４７１号
【特許文献３】特開平９―４７１５９号
【考案の開示】
【考案が解決しようとする課題】
【０００４】
本考案は、蔓性作物の蔓を上方へ誘導し巻きつけるロープを上方または横方向へ張るために特許文献３のような断面U字状のプラスチック製パッカーにロープの係止手段を設けて支柱への挟み止めと、支柱間にロープを張り渡すのを容易にすることを目的とする。
【課題を解決するための手段】
【０００５】
本考案、蔓性作物のロープ支持具は、請求項１記載のように、蔓性作物の支持支柱１へパッカー２を挟み止めすると共に、パッカー２に設けた係止手段にロープ３を掛けて支柱１間にロープ３を張り渡すようにした。
【０００６】
また請求項２記載のように、前記係止手段が、パッカーの本体部分を構成する半円弧筒体４の開口端の両側から各突出させたロープ保持片５に形成する蟻溝であり、さらに請求項３記載のように、この蟻溝が保持片５の中央に形成する矩形の長穴６と、この長穴６の側方外壁の中央部分を切り欠いたロープ通し溝７とで構成する鍵穴形状とした。
【０００７】
また請求項４記載のように、支柱１の側面に複数個の突子８を所要の高さ間隔で連設し、この突子８にパッカーの裏面に設けた凹溝９が嵌り込むようにした。
【考案の効果】
【０００８】
本考案の蔓性作物の支持ロープ支持具は、従来のように支柱に張り巡らすロープや紐、ワイヤまたは針金を支柱に結び止めする必要が無く容易に作業をすることが出来る。また作物の成長に合わせてパッカーの位置を容易に変えることが出来る。すなわち支柱にパッカーを用いて段ごとにはめ込み、その蟻溝に支持ロープを張り渡すのでしっかりと紐の支持が出来て外れにくく大幅な時間の省略になり作業も大変楽となる。また他のものと絡むことはなく、外れ落ちたりずり落ちたりすることもなく紐の支持をする。
【０００９】
ロープの掛け部が蟻溝形状となっているので農業では立性、蔓性の作物を、紐等で上向きに段々に誘引して栽培する際、紐を水平にしっかり支持する器具として使用が出来、家庭の室内で使用するときは、家具のパイプにはめて蟻溝を利用して物を掛けることが出来るなど多様な使い方も出来る。
【考案を実施するための最良の形態】
【００１０】
本考案実施の最良の形態は、蔓性作物の支持支柱１へパッカー２を挟み止めすると共に、パッカーに設けた係止手段にロープ３を架けて支柱１間にロープ３を張り渡すようにしたロープ支持具である。
【実施例１】
【００１１】
図1は、本考案の蔓性作物の支持支柱１へ嵌着するパッカー２であって支持支柱１に掛け止めする本体部分が半円弧の筒体４となっており、支柱１に係入する開口端の両側から外方に向けてロープ保持片５を各突出して対峙させ、この保持片５に各形成する蟻溝にロープを掛け止めするようにした。すなわち前記蟻溝は保持片５の中央に矩形の長穴６を形成し、この長穴６の側方外壁の中央部分を切り欠いてロープ通し溝７とした鍵穴形状となっている。
【００１２】
図２はパッカーを支柱１に装着したときの要部断面図であり、支柱１の側面に複数個の突子８を所要の高さ間隔で連設し、この突子８にパッカー２の裏面に設けた凹溝９が嵌り込むようになっている。
【００１３】
図３は使用例を示し、蔓性の作物１０の蔓を上方または横方向へ誘引するために作物の列に沿わせて複数本の支柱１を適当な間隔で立て、これら支柱１に本考案のパッカー２を高さを合わせて装着する。そして並べた支持支柱１の端からロープ３を前記蟻溝に通してピンと張れば作業は完了する。従って従来のように支柱１に張り巡らすロープや紐、ワイヤまたは針金を支柱に結び止めする必要が無く容易に作業をすることが出来る。また作物の成長に合わせてパッカーの位置を容易に変えることが出来る。
【図面の簡単な説明】
【００１４】
【図１】本考案支持具の斜視図である。
【図２】支柱へ装着したときの断面図である。
【図３】本考案支持具の使用状態を示す形態図である。
【符号の説明】
【００１５】
１  支持支柱
２  パッカー
３  ロープ
４  半円弧筒体
５  ロープ保持片
６  矩形の長穴
７  ロープ通し溝
８  突子
９  凹溝
１０  蔓性作物
【図１】
0003112357.tif 000003
【図２】
0003112357.tif 000004
【図３】
0003112357.tif 000005
(57)【要約】【課題】仕切板の割れを防ぎ、気温の上昇による板の曲がりを改善し、板の重量を軽くする。【解決手段】仕切板を耐候性の高い材質（例えば、ポリプピレン、ポリエチレン、ナイロン等である）に変更し、板の厚みの部分を中空にした構造に変更すれば仕切板の耐候性を高め、曲がりを改善し、板の重量を軽減することが可能である。【選択図】      図１
0003112316.tif 000002
【実用新案登録請求の範囲】
【請求項１】
板の厚みの部分に中空を設け、板の重量を軽減し、板の曲がりを防ぐ構造で、耐候性のある材質にした活魚輸送用活魚かご及び活魚コンテナーの仕切板。
【考案の詳細な説明】
【技術分野】
【０００１】本考案は活魚輸送に使用する活魚かご及び活魚コンテナー用の仕切板のものである。
【背景技術】
【０００２】現在の活魚かご及び活魚コンテナーに使用されている仕切板（例えば塩化ビニール板）は耐候性に乏しいため割れやすく、気温上昇により曲がりやすく、板は比重の高い材質のため、活魚かご及び活魚コンテナ−の本体が重い構造になっている。
【考案の開示】
【考案が解決しようとする課題】
【０００３】仕切板の耐候性を高め、板が割れにくくする。【０００４】仕切板を気温が上昇しても曲がりにくくする。【０００５】仕切板の重量を軽減する。
【課題を解決するための手段】
【０００６】仕切板を耐候性の高い材質にする。例えばポリプロピレン、ポリエチレン、ナイロン等にする。【０００７】仕切板の厚みの部分に中空を設けた構造にする。
【考案の効果】
【０００８】仕切板を耐候性の高い材質（例えば、ポリプロピレン、ポリエチレン、ナイロン等）にすると割れにくくなる。【０００９】仕切板の厚みの部分に中空を設けた構造にすると重量が大巾に軽くなり、曲がりを防ぐことが可能である。
【考案を実施するための最良の形態】
【００１０】仕切板の厚みの部分に中空を設けた構造にする。仕切板の材料は耐候性の高い材質（例えばポリプロピレン、ポリエチレン、ナイロン等）のものを用いる。
【実施例】
【００１１】図１は本考案の仕切板の一例を示したものである。
仕切板の厚みの部分に中空（１）を設けた板を図２、図３のようにかご及びコンテナーに固定し、仕切板で仕切られた広い部分（２）（６）に魚の頭が、狭い部分（３）（７）が尾になるように格納可能な活魚輸送用かご及び活魚コンテナーである。
【産業上の利用可能性】
【００１２】活魚輸送用活魚かご及び活魚コンテナーの仕切板をポリプロピレン、ポリエチレン、ナイロン等の材質に変更し、仕切板の厚みの部分に中空（１）を設けることで、仕切板の割れや曲がりの弊害を改善し、仕切板の重量を大巾に軽減することで輸送のための活魚かご及び活魚コンテナーの積み下ろし作業労力が軽減する。
【図面の簡単な説明】
【００１３】
【図１】（イ）は、本考案の仕切板の平面図である。（ロ）は、側面図である。
【図２】（ハ）は、活魚かごの平面図である。（ニ）は、側面図である。
【図３】（ホ）は、活魚コンテナーの平面図である。（ヘ）は、側面図である。
【符合の説明】
【００１４】（１）は、仕切板の厚みの部分に設けた中空である。
（２）は、活魚かごの仕切板で仕切った広い部分である。
（３）は、活魚かごの仕切板で仕切った狭い部分である。
（４）は、活魚かごの仕切板である。
（５）は、活魚かごの仕切板である。
（６）は、活魚コンテナーの仕切板で仕切った広い部分である。
（７）は、活魚コンテナーの仕切板で仕切った狭い部分である。
（８）は、活魚コンテナーの仕切板である。
（９）は、活魚コンテナーの仕切板である。
【図１】
0003112316.tif 000003
【図２】
0003112316.tif 000004
【図３】
0003112316.tif 000005
(57)【要約】【課題】  網部分の交換が容易で、防虫効果があり、かつカーテンの特色を生かした防虫網兼用カーテンを提供するものである。【解決手段】  網状の繊維体を全面に敷設してカーテン本体を形成し、該繊維体の上下左右に前記繊維体を保持する帯状体を介してフリンジを植設すると共に、前記カーテン本体を張設するためのバネ付支持棒を前記繊維体の上下に配設し、前記カーテン本体を常時張設状態にすることを特徴とする。【選択図】図１
0003112313.tif 000002
【実用新案登録請求の範囲】
【請求項１】
網状の繊維体を全面に敷設してカーテン本体を形成し、該繊維体の上下左右に前記繊維体を保持する帯状体を介してフリンジを植設すると共に、前記カーテン本体を張設するためのバネ付支持棒を前記繊維体の上下に配設し、前記カーテン本体を常時張設状態にすることを特徴とする防虫網兼用カーテン。
【請求項２】
前記繊維体は、留め具で前記帯状体に装着されていることを特徴とする請求項１記載の防虫網兼用カーテン。
【請求項３】
前記カーテン本体の上下縁部には、前記バネ付支持棒を装着する筒状体が前記帯状体とフリンジの間に配設されていることを特徴とする請求項１又は２記載の防虫網兼用カーテン。
【請求項４】
網状の繊維体の網目が０．０５〜１．５ｍｍであることを特徴とする請求項１〜３のいずれか１記載の防虫網兼用カーテン。
【考案の詳細な説明】
【技術分野】
【０００１】  本考案は、住居の窓枠に取り付けて使用する防虫網兼用のカーテンに関する。
【背景技術】
【０００２】  従来から住居の窓に用いられるカーテンは窓枠の内側上部から窓全体を覆うように吊下げられていた。カーテンは、遮光及び目隠し効果が大きな目的である。また、カーテンがレース地で構成されている場合或いは色彩が施されている場合、室内装飾を目的としていた。このように従来のカーテンには、防虫効果はなかった。【０００３】  また、従来からの網戸は、窓枠の外側に装着する引き戸形式であることから、窓の外側に取り付けるものであった。このため、網戸がフィルター作用で汚れ易く、網戸の交換は、網部分を張設する際の緊張に熟練を要し、網部分の交換作業は複雑で面倒であった。【０００４】  また、網戸は、窓枠に装着する引き戸形式であることから、窓とほぼ同形状であることから持ち運びには不便であった。更に窓の外側に網戸用の装着レールがないと取り付けることができなかった。
【考案の開示】
【考案が解決しようとする課題】
【０００５】  本考案者は、鋭意研究の結果、網部分の交換が容易で、防虫効果があり、かつカーテンの特色を生かした防虫網兼用カーテンを提供するものである。
【課題を解決するための手段】
【０００６】  上記課題を解決するための請求項１に係る防虫網兼用カーテンは、網状の繊維体を全面に敷設してカーテン本体を形成し、該繊維体の上下左右に前記繊維体を保持する帯状体を介してフリンジを植設すると共に、前記カーテン本体を張設するためのバネ付支持棒を前記繊維体の上下に配設し、前記カーテン本体を常時張設状体にすることを特徴とする。【０００７】  請求項２に係る防虫網兼用カーテンは、前記繊維体が、留め具で帯状体に装着されていることを特徴とする。【０００８】  請求項３に係る防虫網兼用カーテンは、前記カーテン本体の上下縁部には、前記バネ付支持棒を装着する筒状体が前記帯状体とフリンジの間に配設されていることを特徴とする。【０００９】  請求項４に係る防虫網兼用カーテンは、網状の繊維体の網目が０．０５〜１．５ｍｍであることを特徴とする。
【考案の効果】
【００１０】  請求項１によれば、網状の繊維体でカーテン本体を形成しているので、全体がメッシュ状で通気性が良く、かつ昼夜を問わず虫の侵入を防止することができる。また、該繊維体の上下左右に前記繊維体を保持する帯状体を介してフリンジを植設しているので、網状の繊維体の装着が容易である。更にカーテン本体を張設するためのバネ付支持棒を前記繊維体の上下に配設しているので、前記カーテン本体を常時張設状態にしている。【００１１】  請求項２によれば前記繊維体が、留め具で帯状体に装着されているので、網状の繊維体の交換を容易に行うことができる。【００１２】  請求項３によれば、前記カーテン本体の上下縁部には、前記バネ付支持棒を装着する筒状体が前記帯状体とフリンジの間に配設されているので、窓枠への取り付けが容易である。更に常時カーテン本体を緊張にしておくことができる。【００１３】  請求項４によれば、網状の繊維体の網目が０．０５〜１．５ｍｍと細かいメッシュ状であるため、流通性に富み、昼夜を問わず、虫の大小を問わず侵入を阻止することができる。
【考案を実施するための最良の形態】
【００１４】  本考案の実施の形態を、図１を参照して説明する。【００１５】  図１において、１は網状の繊維体２で構成されるカーテン本体を示し、該繊維体２の上下左右に繊維体２を保持する帯状体３を介してフリンジ４が植設されている。
カーテン本体１を張設するためのバネ付支持棒５が繊維体２，２の上下に設けられている帯状体３に配設されている。上部バネ付支持棒５ａは、カーテン本体１を窓枠６に固定するもので、カーテン本体１を横方向に張る役目をなし、下部バネ付支持棒５ｂは、自重でカーテン本体１を下方に引き、上部バネ付支持棒５ａと併せてカーテン本体１を常時張設状態にする。【００１６】  繊維体２の周囲には、繊維体２の形態を保持する帯状体３が配設されている。繊維体２と帯状体３は留め具７，７…で一体に連結されている。繊維体２には色、柄などをつけると、室内効果があがる。【００１７】  カーテン本体１の上下縁部には、前記バネ付支持棒５を装着する筒状体８が前記帯状体３とフリンジ４の間に配設されている。上部筒状体８ａは、カーテン本体１を窓枠６に固定する上部バネ付支持棒５ａを挿入して、カーテン本体１の横方向に張る。このように窓枠６間に上部バネ付支持棒５ａでカーテン本体を固定して外気からの虫の侵入を阻止する。また、下部筒状体８ｂは、自重でカーテン本体１を下方に引く下部バネ付支持棒５ｂを挿入してカーテン本体１を常時張設状体にする。【００１８】  網状の繊維体２の網目は０．０５〜１．５ｍｍ程度が均一に形成されている。０．０５〜１．５ｍｍにすると流通性に富み、昼夜を問わず、虫の大小を問わず侵入を阻止することができる。カーテンがレース地で構成されていると、網目に均一性がなく小さな虫が侵入するおそれがある。網状部分は、防虫網の他に通気性の有る布地を使用することもできる。
【図面の簡単な説明】
【００１９】
【図１】本考案の実施態様を示す平面図
【符号の説明】
【００２０】１  カーテン本体
２  繊維体
３  帯状体
４  フリンジ
５  バネ付支持棒
６  窓枠
７  留め具
８  筒状体
【図１】
0003112313.tif 000003
(57)【要約】【課題】  回路基板との間の接触不良を防止するスイッチ導電バネ片のリング形触点構造を提供する。【解決手段】  隆起形状であって押圧弾性を具えた片体である導電バネ片１によって構成されるスイッチ導電バネ片のリング形触点構造において、前記導電バネ片１の中央近くの円形回路上には、被押圧触点の方向に向かって少なくとも二個の円弧形触点１１が等間隔で設置されることを特徴とするスイッチ導電バネ片のリング形触点構造。これにより、基板の触点と確実に通電するための面積が増える。【選択図】  図１
0003112330.tif 000002
【実用新案登録請求の範囲】
【請求項１】
隆起形状であって押圧弾性を具えた片体である導電バネ片によって構成されるスイッチ導電バネ片のリング形触点構造において、
前記導電バネ片の中央近くの円形回路上には、被押圧触点の方向に向かって少なくとも二個の円弧形触点が等間隔で設置されることを特徴とするスイッチ導電バネ片のリング形触点構造。
【考案の詳細な説明】
【技術分野】
【０００１】
本考案は、スイッチ導電バネ片のリング形触点構造に関し、特に導電バネ片上に等間隔に少なくとも二個以上の円弧形触点を設置することによって、基板と確実に通電するための面積を増やして接触不良を防止するリング形触点構造に関する。
【背景技術】
【０００２】
電子商品のスイッチ操作は、電子製品の操作性全体に影響し、操作ミスを引き起こすこともある。そのため、スイッチ作用は重要である。今日のスイッチ構造では、図７に示すとおり、薄膜Ａを設置する。この薄膜Ａ下方に皿を裏にした状態と同じ形状の導電バネ片Ｂが設置される。この導電バネ片Ｂは中央が隆起していて、押圧弾性を具えた片体であり、その導電バネ片Ｂの下方には回路基板Ｃが設置される。この回路基板Ｃ上には触点Ｃ１が設置され、薄膜Ａが押されると、導電バネ片Ｂが下へ押され、導電バネ片Ｂは圧力を受けると、下向きに凹んだ円弧面形状になる（図８参照）。それによって回路基板Ｃの触点Ｃ１と接触して導電し、電子製品を作動する。しかしながら、これらのスイッチ構造は、導電バネ片Ｂが圧力を受けて凹むことによって回路基板Ｃ平面上の触点Ｃ１と接触した時、単点接触（幾何学上の円弧面と平面の境界点）を形成するだけなので、常に接触不良を起こし、非導電状態が発生し、更には電子製品の操作性にも影響を及ぼす。
【考案の開示】
【考案が解決しようとする課題】
【０００３】
本考案が解決しようとする問題点は、回路基板との間で常に接触不良が発生し、非導電状態が電子製品の操作性に影響を及ぼす点である。
【課題を解決するための手段】
【０００４】
本考案では、導電バネ片の中央近くの円形回路上に、被押圧触点の方向に向かって少なくとも二個の円弧形触点が等間隔で設置される。これにより、基板の触点と確実に通電するための面積が増えることを最も主要な特徴とする。
【考案の効果】
【０００５】
本考案のスイッチ導電バネ片のリング形触点構造は、下述の利点がある。
導電バネ片の中央近くの円形回路上に、被押圧触点の方向に向かって円弧形触点が等間隔で設置される。これにより、基板の触点と確実に通電するための面積が増え、接触不良を防止する。
また、本考案の導電バネ片の触点数量は、二個以上であり、異なる大小面積の基板触点に対応して使用することができるため、導電効率が良好である。
【考案を実施するための最良の形態】
【０００６】
（第一実施例）
図１、図２に示すとおり、スイッチに使用する導電バネ片１を設置する。この導電バネ片１は隆起し押圧弾性を具えた片体である。この導電バネ片１の中央近くの箇所の円形配列路上には、二個の円弧形の触点１１が等距離に突出して設置される。
使用時、図３に示すとおり、導電バネ片１上方を薄膜Ａで覆い、導電バネ片１下方には回路基板Ｃを設置する。この回路基板Ｃ上には触点Ｃ１を設置し、そこと導電バネ片１の触点１１とを対応させる。下向きに薄膜Ａを押すと、同時に導電バネ片１が押される。この導電バネ片１は押圧されると凸状になり（図４参照）、同時に導電バネ片１上の二つの触点１１は回路基板Ｃ上の触点Ｃ１と接触し、通電面積が増加されたことによって確実に接触する。
【０００７】
（第二実施例）
本考案の第二実施例では、図５に示すとおり、導電バネ片２は隆起して押圧弾性を具えた片体である。導電バネ片２の中央近くの円形配列路上には、触点方向に向かって、二個の円弧形触点２１が等間隔に設置される。
（第三実施例）
本考案の第三実施例では、図６に示すとおり、導電バネ片３は隆起して押圧弾性を具えた片体である。この導電バネ片３の中央近くの円形配列路上には触点方向に向かって、三個の円弧形触点３１が等間隔に設置される。
各実施例の導電バネ片１、２、３上の触点１１、２１、３１は、主に回路基板Ｃの触点Ｃ１と確実に通電するための面積を有効に増やし、この原則による触点１１、２１、３１の数量の変更は、全て本考案の範疇である。
【図面の簡単な説明】
【０００８】
【図１】本考案の第一実施例によるスイッチ導電バネ片を示す立体図である。
【図２】本考案の第一実施例によるスイッチ導電バネ片を示す組立断面図である。
【図３】本考案の第一実施例によるスイッチ導電バネ片の使用状態を示す模式図である。
【図４】本考案の第一実施例によるスイッチ導電バネ片の押圧状態を示す模式図である。
【図５】本考案の第二実施例によるスイッチ導電バネ片を示す模式図である。
【図６】本考案の第三実施例によるスイッチ導電バネ片を示す模式図である。
【図７】公知のスイッチ導電バネ片の使用状態を示す模式図である。
【図８】公知のスイッチ導電バネ片の押圧状態を示す模式図である。
【符号の説明】
【０００９】
１  導電バネ片、２  導電バネ片、３  導電バネ片、１１  触点、２１  触点、３１  触点、Ａ  薄膜、Ｂ  導電バネ片、Ｃ  回路基板、Ｃ１  触点
【図１】
0003112330.tif 000003
【図２】
0003112330.tif 000004
【図３】
0003112330.tif 000005
【図４】
0003112330.tif 000006
【図５】
0003112330.tif 000007
【図６】
0003112330.tif 000008
【図７】
0003112330.tif 000009
【図８】
0003112330.tif 000010
(57)【要約】      （修正有）【課題】如何なる形状の天板（底板）であっても、その形状周縁に巻き付く事が出来る、縦方向には強度があり、横方向には弾撥力の低い安価な貼箱用側板を提供し、ハート型などの多様な形態の貼箱を可能にする。【解決手段】板紙（厚紙）の抄紙方向同一面に多数のハーフカット状切れ込みを入れた側板とする。ハーフカットは側板のブランクを抜く時の抜き型に刃を組み込む事で、通常の抜き作業の中で行え、コストアップが発生しない。縦方向の強度は下がらず、横方向の弾撥力だけ下がり、多様な形状の天板（底板）周縁に反発することなく巻き付き、ハート型などの特殊な貼箱の側板として有用である。【選択図】図１
0003112324.tif 000002
【実用新案登録請求の範囲】
【請求項１】
紙の同一面抄紙方向に沿って、平行する多数のハーフカット状切り込みを入れた板紙（厚紙）を側板とする紙製貼り箱。
【考案の詳細な説明】
【技術分野】
【０００１】
紙製の身箱または蓋箱において、天板または底板が多様な形状をした箱を簡単に作成できる側板及びそれを用いた貼箱に関する。  
【背景技術】
【０００２】
従来より、紙製の身、蓋箱において、箱上面より見た形がハート形、楕円形、円形、熊などの動物の顔をしたものなど、様々な形状の貼箱が、主に菓子類用として作られてきた。
これらの箱を作るには、天板または底板の形状をした筒状の型の内側に側板を沿わせ、側板を型に入れた状態で天面または底面に天板または底板を当て、接着剤またはテープで側板と固定するやり方が一般的であった。
【０００３】
しかし、これら従来のやりかたでは、まず側板を固定する型が必要となり、生産数量を多くするにはこの型がいくつも必要となり大変手間がかかる作業であった。又、側板は弾撥力の強い板紙を用いるため、ハート型底板または天板のような円弧と線分とを組み合わせたような形状の場合にはこれらの周縁と側板との間に浮きが発生し、固定することが難しかった。
【０００４】
さらに、従来のやり方では、側板としての板紙（厚紙）の弾撥力が強いため円形以外の多角形の箱では、側板が高くなると、天板または底板から離れるに従い、側板は天板または底板の形状を維持できなくなり、円形に近い状態に開いてしまうという問題があった。すなわち底の深い箱は従来の方法では難しかった。
【０００５】
最近、これらの問題を解決すべく、側板に強度が高く、弾撥力のある板紙を用いる代わりに波形シートを平紙に貼り合わせたものを側板に用いることが提案されている。
【０００６】
波形シートは波形に沿っては弾撥力が低く、自由に曲げやすいという利点があるが、強度不足を補うため平紙と接着する必要があり、当然コストは上がり、また側板表面は波形であるため化粧紙を貼る事も出来ず、波形の外観を隠す事はできない等の問題を抱えていた。
【特許文献１】特開平８−１９８２３７
【考案の開示】
【考案が解決しようとする課題】
【０００７】
解決しようとしている課題は、縦方向の弾撥力は高いが、横方向には弾撥力が低い側板を安価かつ簡単に提供し、この側板により、天板または底板がハート型などの特殊形態な紙箱を簡単かつ低コストで提供出来るようにする事である。
【課題を解決するための手段】
【０００８】
課題解決手段は、紙の同一面抄紙方向に沿って、平行する多数のハーフカット状切り込みを入れた板紙（厚紙）を側板とする紙製貼り箱とする事である。
【考案の効果】
【０００９】
本考案の側板は、板紙（厚紙）の抄紙方向に沿って、ハーフカット状切れ込みを入れる事により、縦方向の板紙としての弾撥力強度は失わず、横方向の板紙が持つ弾撥力は低い側板を抜き作業１回で安価に、簡単に作る事が出来る。貼箱の製造には必ず抜き型による抜き作業が必要であり、ハーフカット状切れ込みはこの抜き作業で同時に得られるため、コストアップ要因にならない。この側板を用いればあらゆる天板、底板の形状に合わせて周縁を囲う事が出来、さらに側板の上下をハーフカット等を入れていない内面に折り返し、折り返した先端を天板や底板が丁度挟まる隙間になるように溝を構築し、該天板や底板を挟み込み接着すれば、側板と天板や底板との固定を大変きれいにかつ強固にすることが出来る。
【考案を実施するための最良の形態】
【００１０】
チップボール紙（４５０ｇ/ｍ２）の抄紙方向に５mm間隔にハーフカット状切れ込み１を抜き作業の中で行う。ハーフカットの刃の深さは概略紙厚みの半分が目安である。この際、同時に上下に折り返し片２、３を作るため抄紙方向とは直角にハーフカット状切れ込み４を入れる。ハーフカット状切れ込みを入れる密度、深さは使用する板紙（厚紙）の種類により調整するのは当然である。これで側板の完成である。図１はこの状態を示す。
【００１１】
側板上下の折り返し片２、３をハーフカット面とは反対側に折り返し、接着剤で固定する。側板上下折り返し片の先端に溝５が出来る。溝５の幅は天板または底板の厚みに合わせておく。図２はこの状態を示す。
【００１２】
ハート型の天板周縁を側板の溝５に差し込んで接着剤で固定し、側板の左右端の突き合わせ箇所はテープ６で固定することで箱が出来上がる。図３はこの状態を示す。
【００１３】
この箱に適当な化粧紙を貼ることで、ハート型のきれいな箱に仕上がる。ハート型の身箱も同様にして作成する。        
【図面の簡単な説明】
【００１４】
【図１】実施例の側板（ハーフカット状切り込みも同時に入っている）            （ａ）側板ハーフカット面の平面図          （ｂ）側板上下方向の断面図          （ｃ）側板左右方向の断面図
【図２】側板の折り返し図          （ａ）折り返し面の平面図          （ｂ）折り返した側板の左右方向断面図
【図３】実施例側板を使ったハート型貼箱完成斜視図
【符号の説明】
【００１５】
１  ハーフカット状切れ込み（縦方向）
２  上側折り返し片  
３  下側折り返し片
４  ハーフカット状切れ込み（横方向）
５  溝
６  天板
７  テープ
【図１】
0003112324.tif 000003
【図２】
0003112324.tif 000004
【図３】
0003112324.tif 000005
(57)【要約】      （修正有）【課題】マッサージ用リングの構造を提供する。【解決手段】主に軟質シリコンゴム製の外球体１、内球体２、及び該内球体内に設置する振動機構３により構成する。該外球体は一端にカバーリング１１を接続し、該内球体は該外球体内部に設置し、外球面には突起粒２１を具え、該振動機構は該内球体内に設置し、振動モーターと電池により構成する。該外球体はマッサージ作用を具え、該振動機構の起動時には該内球体は該外球体内において振動、回転を持続することにより、軽い衝撃と振動を生じ、マッサージ効果を達成することができる。さらに該振動機構内の様々な色のLED５は光を発する。【選択図】図１
0003112334.tif 000002
【実用新案登録請求の範囲】
【請求項１】
主に外球体、内球体、振動機構、絶縁カバーにより構成し、
該外球体は一端にカバーリングを接続し、
該内球体は該外球体内部に設置し、外球面には突起粒を具え、
該振動機構は該内球体内に設置し、振動モーターと電池により構成し、
該絶縁カバーは該振動モーターと該電池を隔絶し、一端のプルリングは該外球体外部に露出し、
上記部品により構成する構造は柔軟な外球体が人体に接触してマッサージするため、ハードケース構造が人の皮膚に接触することはないことを特徴とするマッサージ用リングの構造。
【請求項２】
前記振動機構内にはLEDを設置することを特徴とする請求項１記載のマッサージ用リングの構造。
【請求項３】
前記外球体上には突起ブロックを設置し、凹凸の外球面を形成することを特徴とする請求項１記載のマッサージ用リングの構造。
【考案の詳細な説明】
【技術分野】
【０００１】
本考案は一種のマッサージ用リングの構造に関する。特に一種のシリコンゴム製の弾力性を具えた外球体及び内球体により構成し、該内球体内には振動モーター、電池、LEDなどにより構成する振動機構を設置し、軟質外球体はマッサージ作用を具え、内球体は外球体内部において振動、回転を持続し、軽い衝撃のマッサージ効果を達成するマッサージ用リングの構造に係る。
【背景技術】
【０００２】
現在市場には数多くのマッサージ用リングの構造が存在する。公知の振動機構はハードケース構造である。該構造は使用に当たって、直接人体の敏感な皮膚に接触し、マッサージの効果は具有するが、圧迫、衝突するため、該振動機構のハードケース構造は極めて不快な感覚を招き、且つ快適なマッサージ効果が得られないため改善が必要である。
【考案の開示】
【考案が解決しようとする課題】
【０００３】
公知構造には以下の欠点があった。
すなわち公知のマッサージ用リング構造の振動機構は使用上、皮膚との接触、圧迫、衝突は避けられないにもかかわらずハードケース構造であるため、使用者に不快な感覚を与えている。
本考案は上記構造の問題点を解決したマッサージ用リングの構造を提供するものである。
【課題を解決するための手段】
【０００４】
上記課題を解決するため、本考案は下記のマッサージ用リングの構造を提供する。
それは主に軟質シリコンゴム製の外球体、内球体、及び該内球体内に設置する振動機構により構成し、
振動モーター、電池などの振動機構は該内球体内に設置され、該内球体は該外球体内に設置されるため、本考案構造では、柔軟な外球体が人体に直接触れてマッサージするため、硬質構造が人体に触れることは決してなく、そのため使用時の快適性を確保でき、
該内球体は該外球体内において振動、回転を継続し、振動と軽い打撃のマッサージ効果を達成し、
該外球体は中空で軟質の構造であるため、圧迫或いは揉動を受けると、弾力性を具えたマッサージ効果を達成し、
該外球体は中空で軟質の構造で、その外球体外表面には凹凸の筋模様、或いは図案があるため、人体に接触し圧迫、揉動を受けると、弾力性を発揮し、多数回にわたるマッサージの感覚を達成し、
該内球体内には１個以上のLEDを設置し、使用の過程においてLEDは様々な色の灯光を発することを特徴とするマッサージ用リングの構造である。
【考案の効果】
【０００５】
上記のように、本考案は外球体と内球体により構成する振動装置を利用し、内球体は外球体内において振動、回転を持続することにより、軽い衝撃と振動を生じ、マッサージ効果を達成することができる。
【考案を実施するための最良の形態】
【０００６】
図１、２に示すように、本考案は柔軟性の高い外球体１、内球体２、振動機構３により構成する。
該外球体１外側には円形のカバーリング１１を接続し、該カバーリング１１と該外球体１は一体成型で、該カバーリング１１は手首或いは指に嵌設することができる。
シリコンゴム製の該内球体２は生産の過程において直接該外球体１内部に設置する。該内球体２内部には振動モーター３１と電池３２により構成する振動機構３を設置する。
該振動機構３を使用しない時には、該電池３２は絶縁カバー４と振動モーター３１の電源により隔絶される。該絶縁カバー４は該外球体１外側部分において、該絶縁カバー４の引き出しに便利なプルリング４１を露出する(図３参照)。該振動モーター３１と該電池３２が接触すると、該内球体２は該外球体１内において絶え間なく振動、回転する。
さらに、該内球体２の外球面には若干の突起粒２１を設置する。該突起粒２１を設けることにより更なるマッサージ効果を具有する。該内球体２が該外球体１内部において振動、回転する時、該突起粒２１と外球体１はを絶えず軽く叩き、振動を生じ、マッサージ効果を達成する。
【０００７】
次に図２、３に示すように、該内球体２内部の振動機構３内には２個のLED５を設置する。該絶縁カバー４が引き出され電源が通電すると、該LED５は透明或いは半透明の光を発し、該様々な色の光は該内球体２と該外球体１を通して発出される。こうして特別な視覚的楽しみもかもし出すことができる。
【０００８】
続いて図４に示すように、該外球体１が圧迫を受け扁平になると、該内球体２の振動機構３は該内球体２の該外球体１内における振動と回転を連動する。さらに図１に示すように、該外球体１の外球面上には筋状の突起ブロック１２を設置し凹凸面を形成し、マッサージ効果を増強することができる。
【図面の簡単な説明】
【０００９】
【図１】本考案の外観図である。
【図２】本考案の断面図である。
【図３】本考案の実施例の断面図である。
【図４】本考案のもう一つの実施例の断面図である。
【符号の説明】
【００１０】
１  外球体
１１  カバーリング
１２  突起ブロック
２  内球体
２１  突起粒
３  振動機構
３１  振動モーター
３２  電池
４  絶縁カバー
４１  プルリング
５  LED
２００  振動機構
【図１】
0003112334.tif 000003
【図２】
0003112334.tif 000004
【図３】
0003112334.tif 000005
【図４】
0003112334.tif 000006
(57)【要約】      （修正有）【課題】商品の販売員の名前の表示による責任の所在の確認のほかに、多くのメーカーの商品を扱うスーパーマーケットなどにおいて、自社や他社製品の広告を掲載することにより、販売の促進を図ることができる作業用ユニフォームを提供する。【解決手段】広告文を記載したカード８を出し入れする広告ホルダー１０を、着衣１の任意箇所に直付けするか緊着部材６，７を介して着脱自在に取り付けた広告媒体機能付きユニフォームに形成したことである。【選択図】図１
0003112340.tif 000002
【実用新案登録請求の範囲】
【請求項１】
広告文を記載したカードを出し入れする広告ホルダーを、着衣の任意箇所に設けた
ことを特徴とする広告媒体機能付きユニフォーム。
【請求項２】
広告文を記載したカードを出し入れする広告ホルダーを、着衣の任意箇所に設けた緊着部材を介して着脱自在に取り付けることを特徴とする広告媒体付きユニフォーム。
【請求項３】
着衣が企業の従業者等が着用する制服、作業着、エプロン等の衣服であることを特徴とする請求項１又は２記載の広告媒体付きユニフォーム。
【請求項４】
広告ホルダーの取付がドットボタンを介して行われることを特徴とする請求項１又は２記載の広告媒体機能付きユニフォーム。
【請求項５】
広告ホルダーの取付が面ファスナーを介して行われることを特徴とする請求項１又は２記載の広告媒体機能付きユニフォーム。
【考案の詳細な説明】
【技術分野】
【０００１】
この考案はスーパーマーケットやホームセンターあるいは家電の量販店、コンビニエンスストアのような小型スパーまた、飲食店などの集客を要する企業において、該集客企業の従業者らが着用する制服・ジャンバー・エプロン等の作業用ユニフォームに関する。
【背景技術】
【０００２】
従来スーパーマーケットやホームセンターあるいは家電の量販店、コンビニエンスストアのような小型スーパーなど集客企業の販売店員らが着用するユニフォームは、制服やジャンバーあるいはエプロンのような前掛けが従業者に支給されそれを着用している。
この作業用ユニフォームは、左胸などに販売者の名前を印刷した名札を取付け、商品の販売作業に従事させている。
また、これらの作業用ユニフォームは、前身頃に社章その他の図形・模様が直接印刷されている場合もある。
【０００３】
なお、工場における作業着（ユニフォーム）の管理や洗濯の問題を解決するために、開衿シャツ型作業着の前身頃等の適宜箇所に透明な軟質合成樹脂部材で、名札を挿入用するための名刺形状の袋体を逢着した作業着の名札の構造の考案が提案されている。（特許文献）
【特許文献１】特許第３０３５０１１号
【考案の開示】
【考案が解決しようとする課題】
【０００４】
上記の作業着の名札の構造は、作業着の前身頃の適宜に透明な軟質合成樹脂部材を重ね挿通口を残して周囲をミシン等で縫合して名札入れを形成し、また、名札挿通口は名前を印刷した名札より挿入口を小さく形成して、洗濯時にその都度名札を外す必要がなく、また、脱落を防ぐことができるものである。
【０００５】
しかし、これらの従来の作業用ユニフォームは、胸元に名前を表示した名札を取り付けたのみであるから、担当者の名前が確認できるのみである。
この考案の作業用ユニフォームは、従来通りの名札を付すことにより、商品の販売員の名前の表示による責任の所在の確認のほかに、多くのメーカーの商品を扱うスーパーマーケットなどおいて、自社や他社製品の広告を掲載することにより、販売の促進を図ることができる作業用ユニフォームを提供しようとするものである。
【課題を解決するための手段】
【０００６】
この考案は上記の課題を解決するために、着衣に広告文を記載したカードを出し入れする広告ホルダーを逢着するか、あるいは、着衣の任意箇所に設けた緊着部材を介して着脱自在に取り付けた広告媒体機能付きユニフォームに形成したことである。
【０００７】
また、広告ホルダーの取付がスナップボタンを介して行われる広告媒体機能付きユニフォームに形成したことである。
【考案の効果】
【０００８】
この考案のユニフォームは、多くのメーカーの商品を扱うスーパーマーケットなどの集客企業おいて着用した場合、商品の販売員名前を表示しての責任の所在の確認のほかに、商品の販売の上で自社や他社製品の新製品の広告などを掲載することにより、販売の促進を図ることができる。
【０００９】
また、広告ホルダーは着脱自在に形成してあるので、広告文が不必要なときは取り外すことにより、通常の作業用ユニフォームとして使用可能となる。
【考案を実施するための最良の形態】
【００１０】
この考案の実施の形態を以下の実施例に基き説明する。
【実施例】
【００１１】
この考案の一実施例をユニフォームの一つである前掛け型エプロンに用いた場合について説明する。
図１は前掛け型エプロンの使用状態の正面図であり、図２は同エプロンから広告カードを外した状態の正面図、図３は広告ホルダーの正面図、図４はエプロンから広告ホルダーを外した状態の正面図である。
【００１２】
図において、１は前掛け型エプロンで、該エプロンの左胸にネームループ２を、ペン挿し３及びポケット４をそれぞれ設けて成る。この様に構成したエプロン１に、図示していないが、広告ホルダーは着衣の任意箇所に直付けしたユニフォームに形成するか、図４に示す様にエプロン１の前身頃の胸前５に、緊着部材として凹凸を押し合わせてパチンと立てる留め金の一種のドットボタン（スナップボタン）の雄型６を取付る。
【００１３】
また、図３に示すとおり透明な合成樹脂部材で形成したホルダーに、ドットボタンの雌型７を取り付けるとともに、広告文を記載したカード８をホルダーの挿入口９から挿入して広告ホルダー１０を形成し、該広告ホルダー１０を図１に示す様にエプロン１に係合する。
【００１４】
なお、実施例では広告ホルダーのエプロンへの緊着部材として、ドットボタンを用いた例を挙げたが、これに限定されるものではなく、面ファスナー等を用いても良いが、広告ホルダー１０を外した時に、エプロンの体裁を考えるとドットボタンを用いた場合は、ドットボタンの雄型が装飾部材となり、通常のエプロンと同様に体裁を損なうことがないが、面ファスナーを用いた場合は、該面ファスナ−の雌型ファスナーが大きく胸元に残り、美感を損なうので、緊着部材としてはドットボタンが好ましい。
【図面の簡単な説明】
【００１５】
【図１】この考案のユニフォームの使用状態の正面図である。
【図２】同ユニフォームから広告カードを外した状態の正面図である。
【図３】広告ホルダーの正面図である。
【図４】ユニフォームから広告ホルダーを外した状態の正面図である。
【符号の説明】
【００１６】
１  エプロン（着衣）
２  ネームループ
３  ペン挿し
４  ポケット
５  胸元
６  ドットボタンの雄型
７  ドットボタンの雌型
８  広告カード
９  挿入口
１０  広告ホルダー
【図１】
0003112340.tif 000003
【図２】
0003112340.tif 000004
【図３】
0003112340.tif 000005
【図４】
0003112340.tif 000006
(57)【要約】【課題】本考案は各種鍋料理において、食す前に多数の具を種類ごとに入れなければならない。見た目にもきれいに多数の具を鍋の中の他の具から仕切ると共に他の具と同じ出し汁が流入するようにして、美味しく煮上げることを可能にした鍋の中に入れて使用する鍋の仕切り具を提供する。【解決手段】鍋の中に取り出し自在に設置するもので、仕切板１を５枚連結用支柱３に取り付け、回転可能とする。連結用支柱頭部２は取り外し可能であり、仕切板１を取り外し上下反対に入れ替えることにより、平らな底の鍋にも使用可能となる。仕切板１には鍋の中の出し汁又は湯水を導入して還流させる多数の通水孔４を貫通穿切してなる。【選択図】図１
0003112279.tif 000002
【実用新案登録請求の範囲】
【請求項１】
鍋内に取り外し自由な仕切板を連結用支柱に取り付けることにより、各仕切板が３６０度回転可能となり、各仕切り板の角度が自在にすることを特徴とする鍋用仕切具。
【請求項２】
連結用支柱頭部を取り外し可能とすることにより、仕切板を上下反対に入れ替えることが出来、土鍋、平底鍋にも使用可能なる事を特徴とする鍋用仕切具。
【考案の詳細な説明】
【技術分野】
【０００１】  本考案は、寄せ鍋のように数種の具を煮る時間に差をつけ、かつ煮こむ場合に鍋内で具を種類ごとに仕切るための仕切具に関するものである。
【背景技術】
【０００２】  従来、家庭で鍋料理、煮こみ料理等を調理する際、野菜、豆腐、肉や魚などの数種の具材を鍋に入れる時点で出し汁や水に浮いてしまったり、他の具と混ざってしまうなどきちんと分けて煮るためには、調理ベラで押さえながら次の具材を入れていく等の手間がかかった。
【考案の開示】
【考案が解決しようとする課題】
【０００３】  具材を鍋に入れる時点で出し汁や水に浮いてしまったり、他の具と混ざってしまう等手間や見栄えの問題がある。従って仕切具を使用することにより前述の問題を解決しようとするものであり、おでんのように、鍋の中で種毎に場所が分かれていると見た目も美しく取り分け易い。
【課題を解決するための手段】
【０００４】  本考案は、鍋に仕切板を連結用支柱に蝶番の形式で取り付ける事により、３６０度回転可能となり、よって各仕切番の可動範囲が自由になり具材の量に合わせて仕切ることが出来る。また、連結用支柱頭部が取り外し可能であるため、各仕切番を上下に入れ替える事により、平底鍋にも対応可能であると同時に洗浄も容易となり問題点を解決している。
【考案の効果】
【０００５】  上述の様に、本考案の鍋の仕切具を使用することにより、具材を手際よく並べられると同時に具材が混ざり合うことなく煮込む事ができるのに役立つ。
【考案の実施するための最良の形態】
【０００６】  連結用支柱は底部は仕切板がはずれることの無いように支柱より太くし、支柱頭部は着脱可能となるようにねじ止めのつまみを取りつける。仕切板は蝶番の形式で取り付ける事により仕切板が自由に動くため、具の量により面積を変えられる特徴がある。
【実施例】
【０００７】  土鍋又は、平底鍋にそれぞれの底に合う仕切板を差し込みつまみを取り付ける。鍋内の出し汁等に仕切板を具材に合う角度で広げ、鍋内に入れ火の通りにくい具材から仕切り板毎に入れていく。【０００８】  調理が出来た次点で、仕切具の上部つまみを引き上げることにより、具材が種類毎に分かれており取り易く選び易くなる。【０００９】  仕切板全体に通水孔があるため、鍋内の出し汁又は湯水を還流させることが出来るため、具材に同様な味をつけることが出来る。
【図面の簡単な説明】
【００１０】
【図１】本考案の実施例１における斜視図である。
【図２】本考案の実施例１における仕切板を示す断面図である。
【図３】本考案の実施例２における仕切板を示す断面図である。
【図４】本考案の実施例１おける使用形態を示す斜視図である。
【符号の説明】
【０００１】１  通水孔つき仕切板
２  連結用支柱頭部ねじ止めつまみ
３  連結用支柱
４  連結用支柱下部止め
５  通水孔
【図１】
0003112279.tif 000003
【図２】
0003112279.tif 000004
【図３】
0003112279.tif 000005
【図４】
0003112279.tif 000006
【手続補正書】
【提出日】平成17年4月19日(2005.4.19)
【手続補正１】
【補正対象書類名】実用新案登録請求の範囲
【補正対象項目名】全文
【補正方法】変更
【補正の内容】
【実用新案登録請求の範囲】
【請求項１】
鍋内に取り外し自由な仕切板を連結用支柱に取り付けることにより、各仕切板が３６０度回転可能となり、各仕切板の角度が自在になることを特徴とする鍋用仕切具。
【請求項２】
連結用支柱の頭部を取り外し可能とすることにより、仕切板を上下に入れ替えることが出来、土鍋、平底鍋にも使用可能となることを特徴とする請求項１記載の鍋用仕切具。
(57)【要約】【課題】  蓄熱性の高い金属の特性をテープに付加し、より暖かく柔軟性のあるテープを提供する事を目的とする。【解決手段】  金属をスパッタリング法で密着させた金属層と支持体層、そして粘着層、更に剥離紙からなる。このように構成することにより、金属の薄膜が繊維に密着し、赤外線吸収機能で、体内から発散される熱線を吸収するので高い蓄熱効果を持つ。このため薄手のテープでも保温効果を上げることができる。またスパッタリング法で金属を密着させることにより、密着強度が高く、かつ繊維の柔軟性を変えないため、肌にやさしくさらに加工しやすいという特徴がある。【選択図】図１
0003112276.tif 000002
【実用新案登録請求の範囲】
【請求項１】
伸縮性を有した布帛である支持体と、該支持体の片面もしくは両面に、金属層を形成すると共に、該金属層の表面に粘着層を設け、且つ該粘着層全体に剥離紙を貼着したことを特徴とする、粘着糊の塗布状態は該金属層の表面全体を覆っても良いし、ストライプ状など部分的に塗布しても良い、ロール状またはシート状のテープ。
【請求項２】
前記支持体はポリエステル、ナイロン、アクリル、ポリエチレン、ポリプロピレン、ポリウレタンなどの合成繊維、あるいはその混紡で形成されている織物、編物、不織布であって、ロール状またはシート状のテープ。
【請求項３】
前記金属層は、チタン、銀、銅、ステンレス、ニッケル、ゲルマニウムまたはこれらの金属の合金で、スパッタリング法により形成されたことを特徴とする、ロール状またはシート状のテープ。
【考案の詳細な説明】
【考案の開示】
【考案が解決しようとする課題】
【０００１】従来、皮膚に発熱体などを接触させて暖め、皮膚下の血行を良くし、肩こりや、筋肉疲労を緩和するもの等が種々提供されている。
しかしながら、温湿布などによる患部の温めは、低温火傷などへの懸念や、また装着のために、活動や体の動きに制限があり、不自由さを免れなかった。本考案はこのような事情を考慮してなされたものであり、しかも簡便に用いることが可能なテープを提供することを目的とする。
【課題を解決するための手段】
【０００２】かかる目的を達成すべく、本考案のテープは、支持体にチタン、銀、銅、ステンレス、ニッケル、ゲルマニウムまたはこれらの金属の合金を、スパッタリング法で密着させた金属層と支持体層、そして粘着層、更に剥離紙からなる。
このように構成することにより、チタン、銀、銅、ステンレス、ニッケル、ゲルマニウムまたは、これらの金属の合金の極薄膜が繊維に密着し、赤外線吸収機能で体内から発散される熱線を吸収するので、高い蓄熱効果を持つ。このためテープの生地で、十分保温効果を上げることができるため、薄くても保温性があり、暖かさを保つテープを提供することができる。
またスパッタリング法でチタン、銀、銅、ステンレス、ニッケル、ゲルマニウムまたはこれらの金属の合金を密着させることにより、密着強度が高く、且つ繊維の柔軟性を変えない為、加工し易いという特徴がある。更に銀や銅などの抗菌性金属をつけることにより顕著な抗菌性が実現できる。
【考案の効果】
【０００３】テープにチタン、銀、銅、ステンレス、ニッケル、ゲルマニウムまたはこれらの金属の合金をスパッタリング法で、非常に薄い膜として強固に密着させることにより、柔らかい風合いを維持し、また人体から放出される赤外線を吸収、放射することで、より暖かいテープを提供することができる。また透湿性や通気性を変えないため蒸れにくい。
チタン、銀、銅、ステンレス、ニッケル、ゲルマニウムまたはこれらの金属の合金をテープに付着させても、テープ本来の柔らかさや通気性、肌触りが変わらない。また自由に任意の大きさに裁断することも容易である。
【考案を実施するための最良の形態】
【０００４】以下，本考案の実施の形態について説明する。図１はチタン、銀、銅、ステンレス、ニッケル、ゲルマニウムまたはこれらの金属の合金をテープの片面にスパッタリング法で密着させて金属層を形成し、支持体層、粘着層、更に剥離紙との構成としている。本考案はこのような構造で、これを使用してテープを腕部Ａに装着する場合、その患部を覆うことのできる大きさ及び形状に切断して装着したり、テープを腕部に巻き回して装着する。このように使用することによって、体温が速やかに金属面に伝わり蓄熱されて、患部を保温して血流を促し、肩こりや筋肉疲労を和らげる。
【図面の簡単な説明】
【０００５】
【図１】  本考案の断面図である。
【図２】  本考案の保温効果のあるテープを、腕部に装着した図である。
【符号の説明】
【０００６】１−−−  金属層
２−−−  支持体層
３−−−  粘着層
４−−−  剥離紙
５−−−  テープ
Ａ−−−  腕部
【図１】
0003112276.tif 000003
【図２】
0003112276.tif 000004
【手続補正書】
【提出日】平成17年4月19日(2005.4.19)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有した布帛である支持体と、該支持体の片面もしくは両面に、金属層を形成すると共に、該金属層の表面に粘着層を設け、且つ該粘着層全体に剥離紙を貼着したことを特徴とする、粘着糊の塗布状態は該金属層の表面全体を覆っても良いし、ストライプ状など部分的に塗布しても良い、ロール状またはシート状のテープ。
【請求項２】
前記支持体はポリエステル、ナイロン、アクリル、ポリエチレン、ポリプロピレン、ポリウレタンなどの合成繊維、あるいはその混紡で形成されている織物、編物、不織布であることを特徴とする請求項１記載のロール状またはシート状のテープ。
【請求項３】
前記金属層は、チタン、銀、銅、ステンレス、ニッケル、ゲルマニウムまたはこれらの金属の合金で、スパッタリング法により形成されたことを特徴とする請求項１記載のロール状またはシート状のテープ。